(57)【特許請求の範囲】
【請求項１】
上りリンクの受信信号のベクトルの積を平均化して上りリンクの自己相関行列を求め、前記上りリンクの自己相関行列から下りリンクの自己相関行列を推定する下りリンク自己相関行列生成部と、
前記下りリンク自己相関行列生成部で推定された前記下りリンクの自己相関行列のうち、所望ユーザ端末の下りリンクの自己相関行列を固有値分解して固有ベクトルを求めるとともに、前記下りリンク自己相関行列生成部で推定された前記下りリンクの自己相関行列のうち、全ユーザ端末または他ユーザ端末の下りリンクの自己相関行列の逆行列を、他ユーザ端末への送信信号に起因する同一チャネル干渉を抑圧するための干渉抑圧行列として生成し、前記固有ベクトルと前記干渉抑圧行列に基づいて、プリコーディング行列を生成するプリコーディング行列変換部と、
変調信号ベクトルに前記プリコーディング行列を乗算して、下りリンクの送信信号ベクトルを生成する送信信号生成部と
を備える無線基地局。
【請求項２】
前記プリコーディング行列変換部は、前記下りリンク自己相関行列生成部で推定された前記下りリンクの自己相関行列のうち、所望ユーザ端末の下りリンクの自己相関行列を固有値分解して固有ベクトルを求める固有値分解部と、
前記固有ベクトルのうち、固有値が大きい方の１以上の固有ベクトルを選択し、選択された固有ベクトルの位相を回転させる固有ベクトル選択位相回転部と、
前記下りリンク自己相関行列生成部で推定された前記下りリンクの自己相関行列のうち、全ユーザ端末または他ユーザ端末の下りリンクの自己相関行列の逆行列を前記干渉抑圧行列として生成する逆行列演算部と、
前記固有ベクトル選択位相回転部で得られた位相が回転させられた固有ベクトルに、前記逆行列演算部で得られた前記干渉抑圧行列を乗算し、前記プリコーディング行列を生成する乗算部とを備えることを特徴とする請求項１に記載の無線基地局。
【請求項３】
前記固有ベクトル選択位相回転部は、前記固有値分解部で求められた前記固有ベクトルのうち、前記所望ユーザ端末の受信アンテナの数と等しい数の固有ベクトルを選択することを特徴とする請求項２に記載の無線基地局。
【請求項４】
上りリンクの受信信号のベクトルの積を平均化して上りリンクの自己相関行列を求め、前記上りリンクの自己相関行列から下りリンクの自己相関行列を推定する下りリンク自己相関行列生成部と、
前記下りリンク自己相関行列生成部で推定された前記下りリンクの自己相関行列のうち、所望ユーザ端末の下りリンクの自己相関行列を固有値分解して固有ベクトルを求めるとともに、前記下りリンク自己相関行列生成部で推定された前記下りリンクの自己相関行列のうち、全ユーザ端末または他ユーザ端末の下りリンクの自己相関行列に基づいて、他ユーザ端末への送信信号に起因する同一チャネル干渉を抑圧するための干渉抑圧行列を生成し、前記固有ベクトルと前記干渉抑圧行列に基づいて、プリコーディング行列を生成するプリコーディング行列変換部と、
変調信号ベクトルに前記プリコーディング行列を乗算して、下りリンクの送信信号ベクトルを生成する送信信号生成部とを備え、
前記プリコーディング行列変換部は、前記下りリンク自己相関行列生成部で推定された前記下りリンクの自己相関行列のうち、他ユーザ端末の下りリンクの自己相関行列を固有値分解して、固有値分解結果から固有値が小さい方の複数の第１の固有ベクトルを選択する第１の固有値分解部と、
前記下りリンク自己相関行列生成部で推定された前記下りリンクの自己相関行列のうち、所望ユーザ端末の下りリンクの自己相関行列を、前記第１の固有ベクトルを用いて変換し、変換された下りリンクの自己相関行列を固有値分解し、固有値分解結果から固有値が大きい方の１以上の第２の固有ベクトルを選択する第２の固有値分解部と、
前記第１の固有値分解部で選択された前記第１の固有ベクトルを含む行列である前記干渉抑圧行列と前記第２の固有値分解部で選択された前記第２の固有ベクトルを含む行列である所望信号増強行列とを乗算し、前記プリコーディング行列を生成する乗算部とを備えることを特徴とする無線基地局。
【請求項５】
前記第２の固有値分解部は、前記下りリンク自己相関行列生成部で推定された前記下りリンクの自己相関行列のうち、所望ユーザ端末の下りリンクの自己相関行列を、前記第１の固有ベクトルを用いて変換し、変換された下りリンクの自己相関行列を固有値分解し、固有値分解結果から前記所望ユーザ端末の受信アンテナの数と等しい数の、固有値が大きい方の前記第２の固有ベクトルを選択することを特徴とする請求項４に記載の無線基地局。
【発明の詳細な説明】
【技術分野】
【０００１】
本発明は、無線基地局に関するものである。
【背景技術】
【０００２】
携帯電話システム等の無線通信において、周波数帯域を広げずに伝送速度を高める技術として、複数の送信アンテナと複数の受信アンテナを用いて空間多重伝送を行うMIMO(Multiple Input Multiple Output)伝送が注目を集めている。このMIMO伝送の更なる特性改善を図る送信技術として、送信側でチャネルインパルス応答等の伝送路情報が既知の場合、伝送路に応じて送信信号に線形処理を施すプリコーディング技術が知られている。プリコーディングは、送信信号の指向性を高めてメインビーム（メインローブ）を送信先に向けることができる。
【０００３】
上りリンクと下りリンクで異なる周波数帯域を使用するFDD(Frequency Division Duplex)の場合、送信側で下りリンクの伝送路情報が直接得られないので、プリコーディングを行うためには、受信側から送信側へ下りリンクの伝送路情報をフィードバックする必要がある。
【０００４】
以下では、複数のユーザ端末が通信チャネルを共有するマルチユーザMIMOについて、伝送路情報のフィードバックを用いるMIMO送信機の説明を行う。送信側を基地局、受信側を複数のユーザ端末とし、基地局からユーザ端末への下りリンクにおいてプリコーディングを用いた通信を行い、ユーザ端末から基地局への上りリンクにおいて下りリンク伝送路情報のフィードバックを行うものとする。
【０００５】
図１に、従来のMIMOシングルキャリア伝送の無線送受信機（無線基地局）で、ユーザ端末からフィードバックされた下りリンクの伝送路情報を用いてプリコーディングを行う構成を示す。説明を簡単にするため、下りリンクのフェージングはフラットフェージングと想定する。無線送受信機の送信アンテナ（アダプティブ・アレー・アンテナ）１０の数はNT、ユーザ端末の数はKと想定し、第kユーザ端末(1≦k≦K)の受信アンテナの数はNrkと想定する。以下、無線送受信機の受信アンテナの数は、送信アンテナ１０の数NTと等しいと想定する。無線送受信機に送信アンテナ１０と受信アンテナを兼ねる複数の送受信アンテナを設けてもよい。
【０００６】
まず、時刻iにおいて、第kユーザ端末へのNrk次元の変調信号ベクトル
【数１】
0006029848.tif 000002
(1≦k≦K)が入力端子Sk(1≦k≦K)を介して乗算部１２に入力される。変調信号ベクトル
【数２】
0006029848.tif 000003
から
【数３】
0006029848.tif 000004
は、ベースバンド信号である変調信号を要素とするベクトルである。以下ではベースバンド信号は全て、同相（in-phase）成分を実部、直交（quadrature-phase）成分を虚部とする複素表示で表わすことにする。乗算部１２は、これらの変調信号にプリコーディング行列生成部１４が生成するプリコーディング行列を乗算して、送信信号を生成する。時刻iは、変調のシンボル周期分、次の時刻i＋１と離れた離散時刻である。
【０００７】
送信信号は下記の式（１）で表される。
【数４】
0006029848.tif 000005
ここで、
【数５】
0006029848.tif 000006
はNT次元の送信信号ベクトルであり、
【数６】
0006029848.tif 000007
は、プリコーディング行列生成部１４が生成するプリコーディング行列である。
【０００８】
このプリコーディング行列はNT行Nr列であり、Nrは受信側であるすべてのＫ個のユーザ端末の受信アンテナの総数であり、次式で表される。
【数７】
0006029848.tif 000008
【０００９】
また、式（１）の
【数８】
0006029848.tif 000009
は、前記の変調信号ベクトル
【数９】
0006029848.tif 000010
の集合から得られるNr次元変調信号ベクトルであって、次式で表される。
【数１０】
0006029848.tif 000011
ここで上付文字のTは、転置（transposition）を示す。
【００１０】
プリコーディング行列生成部１４には、ユーザ端末からフィードバックされた下りリンクの伝送路情報が入力される。下りリンクの伝送路情報は、Nr行NT列のチャネル行列
【数１１】
0006029848.tif 000012
であり、このチャネル行列の各要素は下りリンクのインパルス応答である。プリコーディング行列生成部１４は、このチャネル行列を用いて、プリコーディング行列
【数１２】
0006029848.tif 000013
を生成し、乗算部１２へプリコーディング行列を入力する。
【００１１】
線形プリコーディングには、ゼロフォーシング(Zero Forcing、ZF)規範プリコーディングと、ＭＭＳＥ（最小平均二乗誤差）規範プリコーディングがある。
【００１２】
ZFプリコーディングの場合、プリコーディング行列は次式で得られる。
【数１３】
0006029848.tif 000014
ここで、上付文字のＨは、複素共役転置（complex conjugate transposition）すなわちエルミート転置（Hermitian transpose）を示す。γは送信電力を一定にするための規格化定数である。
【００１３】
この場合のプリコーディング行列
【数１４】
0006029848.tif 000015
は、チャネル行列
【数１５】
0006029848.tif 000016
の一般逆行列（generalized inverse）に相当するので、ZFは、チャネルの逆特性を変調信号に乗算することにより、ユーザ端末で他のユーザ端末への変調信号が漏れ込まないようにすることができる。即ち、ユーザ端末で、同一周波数での他のユーザ端末への信号に起因する干渉をゼロにできる。
【００１４】
この無線送受信機は、送信アンテナ１０（１０１〜１０NT）の数と同じNT個の直交変調器１６（１６１〜１６NT）を有する。乗算部１２が生成するNT次元の送信信号ベクトル
【数１６】
0006029848.tif 000017
の第１要素は直交変調器１６１へ供給され、送信信号ベクトルの第NT要素は直交変調器１６NTへ供給される。つまり、NT次元の送信信号ベクトルの要素は、NT個の直交変調器１６にそれぞれ入力される。
【００１５】
各直交変調器１６は、発振器１８が生成するRF周波数の搬送波を、端子Minを介して入力される送信信号の要素で変調し、その直交変調器１６に対応する送信アンテナ１０によって無線送信する。
【００１６】
図２は、各直交変調器１６の構成を示す。各直交変調器１６は、D/A変換器２０I、D/A変換器２０Q、乗算器２２I、乗算器２２Q、移相器２４、加算器２６およびアンプ２８を備える。端子Minから送信信号の要素が入力される。この送信信号の要素はディジタル信号であり、同相成分がD/A変換器２０Iでアナログ信号に変換され、直交成分がD/A変換器２０Qでアナログ信号に変換される。端子CinからRF周波数の搬送波が入力される。乗算器２２Iでは同相成分のアナログ信号と搬送波が乗算される。乗算器２２Qでは直交成分のアナログ信号と、移相器２４で位相が90度回転した搬送波が乗算される。加算器２６は、これらの乗算結果を足し合わせ、変調された搬送波を生成する。変調された搬送波はアンプ２８で増幅され、端子Moutから出力される。
【００１７】
図１に示す無線送受信機におけるプリコーディング行列生成部１４は、ユーザ端末からフィードバックされたチャネル行列に基づいて、プリコーディング行列を生成する。しかしながら、チャネル行列のような情報量が大きい伝送路情報をユーザ端末からフィードバックすると、上りリンクをそのために使用し、上りリンクの伝送効率を劣化させてしまう。そこで、このフィードバックを不要とし、上りリンクの受信信号から伝送路情報を抽出する方法が検討されている。
【００１８】
図３は、この方法に適するプリコーディング行列生成部１４Ａの構成を示す。プリコーディング行列生成部１４Ａは、到来方向（direction-of-arrival、DOA）推定部３０とプリコーディング行列推定部３２を備える。
【００１９】
プリコーディング行列生成部１４Ａにおいては、まず、チャネル行列の代わりに、複数のユーザ端末から受信される上りリンクの受信信号のベクトルが入力される。DOA推定部３０は、上りリンクの受信信号のベクトルを用いて、各ユーザ端末の上りリンクのパスの到来角を推定する。この推定にはMUSIC(MUltiple SIgnal Classification)などの到来方向推定アルゴリズムが用いられる（非特許文献１参照）。
【００２０】
プリコーディング行列推定部３２は、DOA推定部３０で推定された各ユーザ端末の上りリンクの到来角の推定値に基づいて、プリコーディング行列
【数１７】
0006029848.tif 000018
を生成する。プリコーディング行列推定部３２は、各ユーザ端末について、上りリンクのパスの角度と下りリンクのパスの角度とが一致するという仮定の下で、プリコーディング行列を下記の式（２）に従って計算する。
【数１８】
0006029848.tif 000019
ここで、
【数１９】
0006029848.tif 000020
【００２１】
ただし、式（２）は、各ユーザ端末の受信アンテナの数Nrk = 1、受信側であるすべてのＫ個のユーザ端末の受信アンテナの総数Nr = Kという想定の下で使用される。ここで、
【数２０】
0006029848.tif 000021
は、式（２）で使用されるK行NT列の行列である。
【数２１】
0006029848.tif 000022
は、無線送受信機の送信アンテナ１０のNT次元アレー・レスポンス・ベクトルであり、
【数２２】
0006029848.tif 000023
は第kユーザ端末の到来角推定値であり、γ’は送信電力を一定にするための規格化定数である。
【００２２】
図４は、図１の無線送受信機におけるプリコーディング行列生成部１４の代わりに使用されうる従来の他のプリコーディング行列生成部１４Ｂの構成を示す。プリコーディング行列生成部１４Ｂは、自己相関行列推定部３４、自己相関行列変換部３６、固有値分解部３８、および固有ベクトル選択部３９を備える。
【００２３】
プリコーディング行列生成部１４Ｂにおいては、まず、複数のユーザ端末から受信される上りリンクの受信信号のベクトルが入力される。離散時刻iにおける第kユーザ端末からの受信信号は、NT次元ベクトル
【数２３】
0006029848.tif 000024
で表わすことができる。自己相関行列推定部３４は、受信信号のベクトルの積、
【数２４】
0006029848.tif 000025
を時間平均し、上りリンクの自己相関行列（auto-correlation matrix）を求める。
【００２４】
自己相関行列変換部３６は、この上りリンクの自己相関行列から下りリンクの自己相関行列を推定する。この推定法は、各ユーザ端末について上りリンクのパスの角度と下りリンクのパスの角度とが一致するという仮定の下で、上りリンクと下りリンクのアレー・レスポンス・ベクトルの違いを考慮して、上りリンクの自己相関行列を線形変換することで、下りリンクの自己相関行列を推定する（非特許文献２参照）。
【００２５】
固有値分解部３８は下りリンクの自己相関行列を固有値分解（eigenvalue decomposition）し、NT次元の固有ベクトルを生成する。固有ベクトル選択部３９は、固有値の大きい固有ベクトル（eigenvector）を選択し、プリコーディング行列の列ベクトルに設定し、得られたプリコーディング行列に最後に規格化定数を乗算して最終的にプリコーディング行列
【数２５】
0006029848.tif 000026
を求める（非特許文献３参照）。
【先行技術文献】
【非特許文献】
【００２６】
【非特許文献１】S. Haykin, "Adaptive Filter Theory (3rd Edition)", Prentice-Hall, U.S.A., December 27, 1995.
【非特許文献２】Y-C Liang and F. P. S. Chin, "Downlink channel covariance matrix (DCCM) estimation and its applications in wireless DS-CDMA systems", IEEE Journal on Selected Areas in Communications, vol. 19, no. 2, pp. 222-232, February 2001.
【非特許文献３】L. Dong, "Open-loop beamforming for frequency-division duplex mobile wireless access", IEEE Transactions on Vehicular Technology, Vol. 56, No. 4, pp. 1845-1849, July 2007.
【発明の概要】
【発明が解決しようとする課題】
【００２７】
図４に示すプリコーディング行列生成部１４Ｂによりプリコーディング行列を求めると、ユーザ端末の受信信号電力を高めることができる。しかし、他のユーザ端末への信号に起因する干渉を抑圧する効果は得られず、同一周波数での干渉（同一チャネル干渉）のためユーザ端末で受信される信号の受信品質が劣化する。
【００２８】
そこで、本発明は、同一チャネル干渉を抑圧し、ユーザ端末で受信される信号の受信品質の劣化を抑えられる、伝送路情報のフィードバック不要のプリコーディング方式を実行する無線基地局を提供する。
【課題を解決するための手段】
【００２９】
本発明に係る無線基地局は、上りリンクの受信信号のベクトルの積を平均化して上りリンクの自己相関行列を求め、前記上りリンクの自己相関行列から下りリンクの自己相関行列を推定する下りリンク自己相関行列生成部と、前記下りリンク自己相関行列生成部で推定された前記下りリンクの自己相関行列のうち、所望ユーザ端末の下りリンクの自己相関行列を固有値分解して固有ベクトルを求めるとともに、前記下りリンク自己相関行列生成部で推定された前記下りリンクの自己相関行列のうち、全ユーザ端末または他ユーザ端末の下りリンクの自己相関行列に基づいて、他ユーザ端末への送信信号に起因する同一チャネル干渉を抑圧するための干渉抑圧行列を生成し、前記固有ベクトルと前記干渉抑圧行列に基づいて、プリコーディング行列を生成するプリコーディング行列変換部と、変調信号ベクトルに前記プリコーディング行列を乗算して、下りリンクの送信信号ベクトルを生成する送信信号生成部とを備える。
【００３０】
本発明によれば、下りリンク自己相関行列生成部で推定された下りリンクの自己相関行列のうち、全ユーザ端末または他ユーザ端末の下りリンクの自己相関行列に基づいて、他ユーザ端末への送信信号に起因する同一チャネル干渉を抑圧するための干渉抑圧行列が生成される。この干渉抑圧行列と、所望ユーザ端末の下りリンクの自己相関行列を固有値分解して得られた固有ベクトルに基づいて、プリコーディング行列を生成することによって、他ユーザ端末への送信信号に起因する同一チャネル干渉を抑圧し、所望ユーザ端末で受信される信号の受信品質の劣化を抑えることができる。
【００３１】
前記下りリンク自己相関行列生成部は、前記上りリンクの自己相関行列に線形変換を施すことにより、前記下りリンクの自己相関行列を推定する下りリンク自己相関行列変換部を備えてもよい。
【００３２】
このように、下りリンクの自己相関行列を推定する過程において、上りリンクの自己相関行列に線形変換を施すことにより、精度良く下りリンクの自己相関行列を推定することができる。
【００３３】
前記下りリンク自己相関行列生成部は、前記上りリンクの自己相関行列から、各ユーザ端末について上りリンクのパスの到来角分布を推定する到来角分布推定部と、
前記到来角分布から前記下りリンクの自己相関行列を推定する自己相関行列演算部とを備えてもよい。
【００３４】
このように到来角分布を推定し、到来角分布から下りリンクの自己相関行列を推定することにより、マルチパス伝搬環境でパスに角度広がりがある場合でも、精度良く下りリンクの自己相関行列を推定することができる。
【００３５】
前記下りリンク自己相関行列生成部は、前記上りリンクの自己相関行列から、各ユーザ端末について上りリンクのパスの到来角分布を推定するとともに、各ユーザ端末について前記到来角分布を所定の種類の確率分布で近似させて、各ユーザ端末について前記確率分布の平均値と分散を推定する到来方向推定部と、前記平均値と分散から前記下りリンクの自己相関行列を推定する自己相関行列演算部とを備えてもよい。
【００３６】
このように到来角分布を推定し、到来角分布から下りリンクの自己相関行列を推定することにより、マルチパス伝搬環境でパスに角度広がりがある場合でも、精度良く下りリンクの自己相関行列を推定することができる。また、各ユーザ端末について前記到来角分布を所定の種類の確率分布で近似させて、各ユーザ端末について前記確率分布の平均値と分散を推定することにより、上りリンクの受信信号に含まれる雑音の影響で誤差が大きくなる場合でも、誤差を軽減することができる。
【００３７】
前記プリコーディング行列変換部は、前記下りリンク自己相関行列生成部で推定された前記下りリンクの自己相関行列のうち、所望ユーザ端末の下りリンクの自己相関行列を固有値分解して固有ベクトルを求める固有値分解部と、前記固有ベクトルのうち、固有値が大きい方の１以上の固有ベクトルを選択し、選択された固有ベクトルの位相を回転させる固有ベクトル選択位相回転部と、前記下りリンク自己相関行列生成部で推定された前記下りリンクの自己相関行列のうち、全ユーザ端末または他ユーザ端末の下りリンクの自己相関行列の逆行列である前記干渉抑圧行列を生成する逆行列演算部と、前記固有ベクトル選択位相回転部で得られた位相が回転させられた固有ベクトルに、前記逆行列演算部で得られた前記干渉抑圧行列を乗算し、前記プリコーディング行列を生成する乗算部とを備えてもよい。
【００３８】
このように、所望ユーザ端末に関する固有ベクトルに、全ユーザ端末または他ユーザ端末の下りリンクの自己相関行列の逆行列（干渉抑圧行列）を乗算し、プリコーディング行列を生成することにより、他ユーザ端末への送信信号に起因する同一チャネル干渉を抑圧することができる。
【００３９】
前記固有ベクトル選択位相回転部は、前記固有値分解部で求められた前記固有ベクトルのうち、前記所望ユーザ端末の受信アンテナの数と等しい数の固有ベクトルを選択してもよい。
【００４０】
このように、所望ユーザ端末の受信アンテナの数と等しい数の固有ベクトルを固有ベクトル選択位相回転部が選択することにより、乗算部で生成されるプリコーディング行列は、ユーザ端末あたり複数の送信信号を送信するのに適合させられる。
【００４１】
前記プリコーディング行列変換部は、前記下りリンク自己相関行列生成部で推定された前記下りリンクの自己相関行列のうち、他ユーザ端末の下りリンクの自己相関行列を固有値分解して、固有値分解結果から固有値が小さい方の複数の第１の固有ベクトルを選択する第１の固有値分解部と、前記下りリンク自己相関行列生成部で推定された前記下りリンクの自己相関行列のうち、所望ユーザ端末の下りリンクの自己相関行列を、前記第１の固有ベクトルを用いて変換し、変換された下りリンクの自己相関行列を固有値分解し、固有値分解結果から固有値が大きい方の１以上の第２の固有ベクトルを選択する第２の固有値分解部と、前記第１の固有値分解部で選択された前記第１の固有ベクトルを含む行列である前記干渉抑圧行列と前記第２の固有値分解部で選択された前記第２の固有ベクトルを含む行列である所望信号増強行列とを乗算し、前記プリコーディング行列を生成する乗算部とを備えてもよい。
【００４２】
ここで、干渉抑圧行列は、他ユーザ端末に対応し、固有値が小さい方の複数の第１の固有ベクトルを含むため、他ユーザ端末への送信信号に起因する同一チャネル干渉を抑圧する働きを有する。他方、所望信号増強行列は、所望ユーザ端末に対応し、固有値が大きい１以上の第２の固有ベクトルを含むため、所望ユーザ端末にとっての所望信号を強める働きを有する。干渉抑圧行列と所望信号増強行列を乗算し、プリコーディング行列を生成することにより、他ユーザ端末への送信信号に起因する同一チャネル干渉を抑圧することができる。
【００４３】
前記第２の固有値分解部は、前記下りリンク自己相関行列生成部で推定された前記下りリンクの自己相関行列のうち、所望ユーザ端末の下りリンクの自己相関行列を、前記第１の固有ベクトルを用いて変換し、変換された下りリンクの自己相関行列を固有値分解し、固有値分解結果から前記所望ユーザ端末の受信アンテナの数と等しい数の、固有値が大きい方の前記第２の固有ベクトルを選択してもよい。
【００４４】
このように、所望ユーザ端末の受信アンテナの数と等しい数の第２の固有ベクトルを第２の固有値分解部が選択することにより、乗算部で生成されるプリコーディング行列は、ユーザ端末あたり複数の送信信号を送信するのに適合させられる。
【図面の簡単な説明】
【００４５】
【図１】従来のプリコーディングを用いたMIMOシングルキャリア無線送受信機（無線基地局）の構成を示すブロック図である。
【図２】図１の無線送受信機における直交変調器の構成を示すブロック図である。
【図３】図１の無線送受信機におけるプリコーディング行列生成部の代わりに使用されうる従来のプリコーディング行列生成部の構成を示すブロック図である。
【図４】図１の無線送受信機におけるプリコーディング行列生成部の代わりに使用されうる従来の他のプリコーディング行列生成部の構成を示すブロック図である。
【図５】本発明の実施の形態に係るプリコーディングを用いたMIMOシングルキャリア無線送受信機（無線基地局）の構成を示すブロック図である。
【図６】図５の無線送受信機におけるプリコーディング行列生成部の構成を示すブロック図である。
【図７】図６のプリコーディング行列生成部で使用される自己相関行列生成部の一例を示すブロック図である。
【図８】図６のプリコーディング行列生成部で使用される自己相関行列生成部の他の例を示すブロック図である。
【図９】図６のプリコーディング行列生成部で使用される自己相関行列生成部の他の例を示すブロック図である。
【図１０】図６のプリコーディング行列生成部で使用されるプリコーディング行列変換部の一例を示すブロック図である。
【図１１】図６のプリコーディング行列生成部で使用されるプリコーディング行列変換部の他の例を示すブロック図である。
【図１２】本発明の実施の形態に係る無線通信システムを示す概略図である。
【発明を実施するための形態】
【００４６】
以下、本発明に係る様々な実施の形態について、マルチユーザMIMOかつシングルキャリア伝送を例に説明する。
【００４７】
図５は、本発明の実施の形態に係るプリコーディングを用いたMIMOシングルキャリア無線送受信機（無線基地局）の構成を示すブロック図である。図５は、無線基地局のうち無線送信に関する部分のみを示す。この無線基地局は、送信アンテナ１０、乗算部（送信信号生成部）１２、プリコーディング行列生成部１４０、直交変調器１６および発振器１８を備える。この無線基地局は、図１の無線基地局と類似する構成を有するが、プリコーディング行列生成部１４の代わりにプリコーディング行列生成部１４０を有する。送信アンテナ１０、乗算部１２、直交変調器１６および発振器１８は、図１に示す背景技術の無線基地局のそれらと同じでよい。無線基地局は、送信アンテナ１０の数NTと等しい数の受信アンテナ１１（図１２参照）を有する。無線基地局に送信アンテナ１０と受信アンテナを兼ねる複数の送受信アンテナを設けてもよい。
【００４８】
プリコーディング行列生成部１４０および乗算部１２は、無線基地局の図示しないＣＰＵ（central processing unit）がコンピュータプログラムを実行し、そのコンピュータプログラムに従って機能することによって実現される機能ブロックである。後述するプリコーディング行列生成部１４０の構成要素も同様である。但し、ＣＰＵが実行する各機能は、ＣＰＵの代わりに、ハードウェアで実行してもよいし、例えばFPGA（Field Programmable Gate Array）、DSP（Digital Signal Processor）等のプログラマブルロジックデバイスで実行してもよい。
【００４９】
図６は、本発明の実施の形態に係るプリコーディング行列生成部の構成を示すブロック図である。プリコーディング行列生成部１４０は、下りリンク自己相関行列生成部４０およびプリコーディング行列変換部６０を備える。
【００５０】
プリコーディング行列生成部１４０においては、まず、複数のユーザ端末から受信される上りリンクの受信信号のベクトルが、下りリンク自己相関行列生成部４０へ入力される。下りリンク自己相関行列生成部４０は、上りリンクの受信信号のベクトルの積を平均化して上りリンクの自己相関行列を求め、上りリンクの自己相関行列から下りリンクの自己相関行列を推定する。下りリンク自己相関行列生成部４０は、推定された下りリンクの自己相関行列をプリコーディング行列変換部６０へ供給する。
【００５１】
プリコーディング行列変換部６０は、下りリンク自己相関行列生成部４０で推定された下りリンクの自己相関行列のうち、所望ユーザ端末の下りリンクの自己相関行列を固有値分解して固有ベクトルを求めるとともに、下りリンク自己相関行列生成部４０で推定された下りリンクの自己相関行列のうち、全ユーザ端末または他ユーザ端末の下りリンクの自己相関行列に基づいて、他ユーザ端末への送信信号に起因する同一チャネル干渉を抑圧するための干渉抑圧行列を生成し、固有ベクトルと干渉抑圧行列に基づいて、プリコーディング行列を生成する。プリコーディング行列の生成においては、プリコーディング行列変換部６０は送信電力が一定になるよう規格化を行う。下りリンクの自己相関行列から固有ベクトル及び干渉抑圧行列を生成することで、後述するように、同一周波数での他のユーザ端末への信号に起因する干渉を抑圧するようプリコーディング行列を求めることができる。
【００５２】
図７は、図６の下りリンク自己相関行列生成部４０の構成の一例を示す。図７の下りリンク自己相関行列生成部４０は、上りリンク自己相関行列推定部４２および下りリンク自己相関行列変換部４４を備える。
【００５３】
図７の下りリンク自己相関行列生成部４０においては、まず、複数のユーザ端末から受信される上りリンクの受信信号のベクトルが、上りリンク自己相関行列推定部４２へ入力される。上りリンク自己相関行列推定部４２は上りリンクの受信信号のベクトルの積を平均化して上りリンクの自己相関行列を求める。この上りリンク自己相関行列推定部４２は、図４を参照して背景技術に関連して説明した自己相関行列推定部３４と同じでよく、精度良く上りリンクの自己相関行列を推定できる。
【００５４】
下りリンク自己相関行列変換部４４は、上りリンク自己相関行列推定部４２で推定された上りリンクの自己相関行列に線形変換を施すことで、下りリンクの自己相関行列を推定する。この下りリンク自己相関行列変換部４４は、図４を参照して背景技術に関連して説明した自己相関行列変換部３６と同じでよい。このように、下りリンクの自己相関行列を推定する過程において、上りリンクの自己相関行列に線形変換を施すことにより、精度良く下りリンクの自己相関行列を推定することができる。
【００５５】
図８は、図６の下りリンク自己相関行列生成部４０の構成の他の一例を示す。図８の下りリンク自己相関行列生成部４０は、上りリンク自己相関行列推定部４２、到来角分布推定部４８および下りリンク自己相関行列演算部５０を備える。
【００５６】
図８の下りリンク自己相関行列生成部４０においては、まず、複数のユーザ端末から受信される上りリンクの受信信号のベクトルが、上りリンク自己相関行列推定部４２へ入力される。上りリンク自己相関行列推定部４２は上りリンクの受信信号のベクトルの積を平均化して上りリンクの自己相関行列を求める。この上りリンク自己相関行列推定部４２は、図４を参照して背景技術に関連して説明した自己相関行列推定部３４と同じでよく、精度良く上りリンクの自己相関行列を推定できる。
【００５７】
到来角分布推定部４８は、上りリンク自己相関行列推定部４２で推定された上りリンクの自己相関行列から、上りリンクの複数のパス（複数のユーザ端末に相当する）の到来角分布を推定する。下りリンク自己相関行列演算部５０は、到来角分布推定部４８で推定された到来角分布から下りリンクの自己相関行列を推定する。
【００５８】
到来角分布推定部４８において、到来角分布はMVDR (Minimum Variance Distortionless Response)に基づき、推定される。以下では数式を用いてMVDRを説明する。第kユーザ端末からの到来角分布をpk(φ)とし、第kユーザ端末の上りリンクの自己相関行列を
【数２６】
0006029848.tif 000027
とする。
【００５９】
MVDRに従って、到来角分布推定部４８は、pk(φ)を下記の式（３）に従って計算すなわち推定する。
【数２７】
0006029848.tif 000028
ここで、
【数２８】
0006029848.tif 000029
は、無線送受信機（無線基地局）の受信アンテナ１１（図１２参照）のNT次元アレー・レスポンス・ベクトルであり、Cは規格化定数であって、次の式を満足するように求められている。
【数２９】
0006029848.tif 000030
【００６０】
次に、下りリンク自己相関行列演算部５０が実行する下りリンクの自己相関行列の推定について、数式を用いて説明する。第kユーザ端末の下りリンクの自己相関行列を
【数３０】
0006029848.tif 000031
とする。各ユーザ端末について上りリンクのパスの角度と下りリンクのパスの角度とが一致すると仮定すると、
自己相関行列
【数３１】
0006029848.tif 000032
は下記の式（４）に従って計算することができる。
【数３２】
0006029848.tif 000033
なお、
【数３２Ａ】
0006029848.tif 000034
は、無線送受信機の送信アンテナ１０のNT次元アレー・レスポンス・ベクトルである。
【００６１】
ここで、Pkは第kユーザ端末の平均受信電力であり、送信電力制御が行われていれば既知の値である。式（３）の到来角分布pk(φ)を式（４）に代入することにより、自己相関行列
【数３３】
0006029848.tif 000035
を求めることができる。
【００６２】
このように、図８に示す下りリンク自己相関行列生成部４０は、到来角分布を求め、下りリンクの自己相関行列を推定するので、マルチパス伝搬環境でパスに角度広がりがある場合でも、精度良く下りリンクの自己相関行列を推定することができる。
【００６３】
図３に示す背景技術のプリコーディング行列生成部１４Ａが使用する式（２）は、マルチパス伝搬環境でパスの角度に広がりが無いもしくは非常に小さいという想定を前提とする。したがって、式（２）は、マルチパス伝搬環境でパスの角度に広がりがあったとしても、到来角の平均値しか用いていないことになる。そのため、このプリコーディング行列生成部１４Ａで得られたプリコーディング行列を用いて無線送信を行うと、ユーザ端末で受信された信号の受信品質が劣化する。図８に示す下りリンク自己相関行列生成部４０は、この問題を解決する。
【００６４】
図９は、図６の下りリンク自己相関行列生成部４０の構成の他の一例を示す。図９の下りリンク自己相関行列生成部４０は、上りリンク自己相関行列推定部４２、到来方向（direction-of-arrival、DOA）推定部５４および下りリンク自己相関行列演算部５６を備える。
【００６５】
図９の下りリンク自己相関行列生成部４０においては、まず、複数のユーザ端末から受信される上りリンクの受信信号のベクトルが、上りリンク自己相関行列推定部４２へ入力される。上りリンク自己相関行列推定部４２は上りリンクの受信信号のベクトルの積を平均化して上りリンクの自己相関行列を求める。この上りリンク自己相関行列推定部４２は、図４を参照して背景技術に関連して説明した自己相関行列推定部３４と同じでよく、精度良く上りリンクの自己相関行列を推定できる。
【００６６】
DOA推定部５４は、上りリンク自己相関行列推定部４２で推定された上りリンクの自己相関行列から、各ユーザ端末について上りリンクのパスの到来角の平均値と分散を推定し、これらを下りリンク自己相関行列演算部５６に供給する。具体的には、DOA推定部５４は、まず図８の到来角分布推定部４８と同様に、式（３）に従って第kユーザ端末の到来角分布pk(φ)を求める。さらに、DOA推定部５４は、到来角分布pk(φ)を所定の種類の確率分布（例えば正規分布）で近似して、その確立分布の平均値φkと分散σk2を求める。
【００６７】
下りリンク自己相関行列演算部５６は、この到来角の平均値と分散から、下りリンクの自己相関行列
【数３４】
0006029848.tif 000036
を推定すなわち生成する。具体的には、式（４）のpk(φ)を平均値φk、分散σk2の正規分布に置換える。即ち、下りリンクの自己相関行列は下記の式（５）に従って計算される。
【数３５】
0006029848.tif 000037
【００６８】
図９に示す下りリンク自己相関行列生成部４０によれば、到来角分布pk(φ)に、上りリンクの受信信号に含まれる雑音の影響で誤差が大きくなる場合、正規分布とマッチングをとり近似することで、この誤差を軽減できる。したがって、マルチパス伝搬環境でパスに角度広がりがある場合でも、さらに精度良く下りリンクの自己相関行列を推定することができる。図９に示す下りリンク自己相関行列生成部４０のDOA推定部５４は、到来角分布を正規分布で近似するが、ラプラス分布等の他の確率密度関数でマッチングをとり近似してもよい。
【００６９】
図３に示す背景技術のプリコーディング行列生成部１４Ａが使用する式（２）は、マルチパス伝搬環境でパスの角度に広がりが無いもしくは非常に小さいという想定を前提とする。したがって、式（２）は、マルチパス伝搬環境でパスの角度に広がりがあったとしても、到来角の平均値しか用いていないことになる。そのため、このプリコーディング行列生成部１４Ａで得られたプリコーディング行列を用いて無線送信を行うと、ユーザ端末で受信された信号の受信品質が劣化する。図９に示す下りリンク自己相関行列生成部４０は、この問題を解決する。
【００７０】
図１０は、図６のプリコーディング行列変換部６０の構成の一例を示す。図１０のプリコーディング行列変換部６０は、固有値分解部６２、固有ベクトル選択位相回転部６４、逆行列演算部６６および乗算正規化部６８を備える。
【００７１】
図１０のプリコーディング行列変換部６０においては、図７から図９のいずれかの下りリンク自己相関行列生成部４０によって推定された下りリンクの自己相関行列
【数３６】
0006029848.tif 000038
が入力される。
【００７２】
固有値分解部６２は、下りリンク自己相関行列生成部４０によって推定された下りリンクの自己相関行列のうち、所望ユーザ端末（第kユーザ端末）の下りリンクの自己相関行列を固有値分解して固有ベクトルを求める。固有ベクトル選択位相回転部６４は、固有値が大きい方のいくつかの固有ベクトル（第kユーザ端末の受信アンテナの数と等しい数の固有ベクトル）を選択し、それらの固有ベクトルの位相を回転させて、乗算正規化部６８に供給する。
【００７３】
一方、逆行列演算部６６は、下りリンク自己相関行列生成部４０によって推定された下りリンクの自己相関行列のうち、全ユーザ端末または他ユーザ端末の下りリンクの自己相関行列の逆行列（干渉抑圧行列）を生成し、これを乗算正規化部６８に供給する。乗算正規化部（乗算部）６８は、固有ベクトル選択位相回転部６４で得られた位相が回転させられた固有ベクトルと逆行列演算部６６の逆行列を乗算することで、プリコーディング行列を生成する。乗算正規化部６８は、さらに送信電力が一定になるようその乗算結果に規格化定数を乗算してプリコーディング行列を生成してもよい。
【００７４】
図１０のプリコーディング行列変換部６０で求められるプリコーディング行列
【数３７】
0006029848.tif 000039
を具体的に説明する。このプリコーディング行列は、複数のユーザ端末のためのプリコーディング行列の集合として、下記の式（６）で表される。
【数３８】
0006029848.tif 000040
ここで、
【数３９】
0006029848.tif 000041
は第kユーザ端末への送信信号のためのプリコーディング行列であって、NT行Nrk列の行列である。
【００７５】
【数４０】
0006029848.tif 000042
は、下記の式（７）に従って計算される。
【数４１】
0006029848.tif 000043
ここで、gは送信電力を一定にするための規格化定数であり乗算正規化部６８により与えられる。
【数４２】
0006029848.tif 000044
は逆行列演算部６６で生成される逆行列であり、
【数４３】
0006029848.tif 000045
は固有ベクトル選択位相回転部６４で得られた位相が回転させられた固有ベクトルである。
【００７６】
ηは正の定数であり、
【数４４】
0006029848.tif 000046
は、NT行NT列の単位行列である。但し、この定数と単位行列の積の加算は、本発明にとって必ずしも不可欠ではない（式（８）でも同じである）。
【００７７】
Lは、第kユーザ端末の受信アンテナの数である（L = Nrk）。添字k1は全ユーザ端末に関する総和を計算するに付加されており、付加されたパラメータの意味を変えるものではない（式（８）でも同じである）。また、θkq(1≦q≦L) は位相回転量であって、固有ベクトル選択位相回転部６４により与えられる。jは虚数単位である。
【数４５】
0006029848.tif 000047
は、下りリンクの自己相関行列
【数４６】
0006029848.tif 000048
の正規化固有ベクトルの内、q番目に固有値が大きい正規化固有ベクトルである。
【００７８】
第kユーザ端末への送信信号のためのプリコーディング行列
【数４７】
0006029848.tif 000049
は、式（７）の代わりに、下記の式（８）に従って計算してもよい。
【数４８】
0006029848.tif 000050
【００７９】
【数４９】
0006029848.tif 000051
は逆行列演算部６６で生成される逆行列である。
【００８０】
式（７）は全ユーザ端末に対応しており、式（８）は、k1≠kから理解されるように、第kユーザ端末を除くすべてのユーザ端末（他ユーザ端末、所望ユーザ端末以外のすべての端末）に対応する。
【００８１】
式（７）または式（８）において、正規化固有ベクトル
【数５０】
0006029848.tif 000052
に、送信電力に相当する正の重み付け係数を乗算することもできる。
【００８２】
さらに、式（７）または式（８）において、正規化固有ベクトル
【数５１】
0006029848.tif 000053
をパスの到来角の方向を向いたアレー・レスポンス・ベクトル
【数５２】
0006029848.tif 000054
に置換えることもできる。
【００８３】
式（７）および式（８）で逆行列が乗算されている。これは、他ユーザ端末への送信信号から所望ユーザ端末への送信信号への漏れ込みを抑える、即ち同一チャネル干渉を抑える効果を達成する。図４を参照して説明した背景技術のプリコーディング行列生成部１４Ｂでは、このような効果は達成できない。
【００８４】
このように、図１０に示すプリコーディング行列変換部６０は、同一チャネル干渉を抑える効果を達成することができる。また、式（７）と式（８）で、L = Nrk個（第kユーザ端末の受信アンテナの数）の固有ベクトル
【数５３】
0006029848.tif 000055
を選択していることから明らかなように、ユーザ端末あたり複数の送信信号を送信することができる。図３に示す背景技術のプリコーディング行列生成部１４Ａが使用する式（２）は、各ユーザ端末の受信アンテナの数Nrkが１であるという想定の下で使用されるため、あるユーザ端末の受信アンテナの数Nrkが２以上の場合に、そのユーザ端末に向けて複数の送信信号を送ることができない。図１０に示すプリコーディング行列変換部６０はこの問題を解決する。
【００８５】
図１１は、図６のプリコーディング行列変換部６０の構成の他の一例を示す。図１１のプリコーディング行列変換部６０は、第１の固有値分解部７０、第２の固有値分解部７２および乗算正規化部７４を備える。
【００８６】
図１１のプリコーディング行列変換部６０においては、図７から図９のいずれかの下りリンク自己相関行列生成部４０によって推定された下りリンクの自己相関行列
【数５４】
0006029848.tif 000056
が入力される。
【００８７】
第１の固有値分解部７０は、下りリンク自己相関行列生成部４０によって推定された下りリンクの自己相関行列のうち、他ユーザ端末の下りリンクの自己相関行列を固有値分解して、固有値分解結果から固有値が小さい方のいくつかの固有ベクトル（第１の固有ベクトル）を選択する。
【００８８】
第２の固有値分解部７２は、下りリンク自己相関行列生成部４０によって推定された下りリンクの自己相関行列のうち、所望ユーザ端末の下りリンクの自己相関行列を、第１の固有値分解部７０で選択された複数の第１の固有ベクトルを用いて変換し、変換された下りリンクの自己相関行列を固有値分解し、固有値分解結果から固有値が大きい方のいくつかの固有ベクトル（第２の固有ベクトル）を選択する。選択される第２の固有ベクトルの数は、所望ユーザ端末の受信アンテナの数と等しい。
【００８９】
乗算正規化部（乗算部）７４は、第１の固有値分解部７０で選択された固有値が小さい方のいくつかの固有ベクトル（第１の固有ベクトル）を含む第１の行列（干渉抑圧行列）と、第２の固有値分解部７２で選択された固有値が大きい方のいくつかの固有ベクトル（第２の固有ベクトル）を含む第２の行列（所望信号増強行列）とを乗算することで、プリコーディング行列を生成する。乗算正規化部７４は、さらに送信電力が一定になるようその乗算結果を規格化してプリコーディング行列を生成してもよい。
【００９０】
図１１のプリコーディング行列変換部６０で求められるプリコーディング行列
【数５５】
0006029848.tif 000057
を具体的に説明する。このプリコーディング行列も、複数のユーザ端末のためのプリコーディング行列の集合として、上記の式（６）で表される。
ここで、
【数５６】
0006029848.tif 000058
は第kユーザ端末への送信信号のためのプリコーディング行列であって、NT行Nrk列の行列である。
【００９１】
【数５７】
0006029848.tif 000059
は、下記の式（９）に従って計算される。
【数５８】
0006029848.tif 000060
【００９２】
式（９）において、
【数５９】
0006029848.tif 000061
は、NT行Qk列の行列（第１の行列）である(Qk≧Nrk)。この第１の行列は、下記の式（１０）で定めるNT行NT列の行列
【数６０】
0006029848.tif 000062
の正規化固有ベクトルの内、固有値の小さいQk個の正規化固有ベクトル（第１の固有ベクトル）を列ベクトルとして持つ。式（１０）において、*は複素共役（complex conjugation）を表わす。添字k1は複数ユーザ端末に関する総和を計算するに付加されており、付加されたパラメータの意味を変えるものではない。
【数６１】
0006029848.tif 000063
【００９３】
このように、第１の行列（干渉抑圧行列）
【数６２】
0006029848.tif 000064
は、第１の固有値分解部７０により生成される行列である。
【００９４】
また、式（９）において、
【数６３】
0006029848.tif 000065
は、Qk行Nrk列の行列（第２の行列）である。この第２の行列は、下記の式（１１）で定めるQk行Qk列の行列
【数６４】
0006029848.tif 000066
の正規化固有ベクトルの内、固有値が大きい方のNrk個の正規化固有ベクトル（第２の固有ベクトル）を列ベクトルとして持つ。
【数６５】
0006029848.tif 000067
【００９５】
このように、第２の行列（所望信号増強行列）
【数６６】
0006029848.tif 000068
は、第２の固有値分解部７２により生成される行列である。
【００９６】
式（９）において、
【数６７】
0006029848.tif 000069
は、Nrk行Nrk列の対角行列であり、対角成分は各送信信号の送信電力の平方根であり、規格化定数に相当する。これは、乗算正規化部７４により、規格化のために与えられる。但し、これは本発明にとって必ずしも不可欠ではない。
【００９７】
図１１に示すプリコーディング行列変換部６０が使用する式（９）において、第１の行列（干渉抑圧行列）
【数６８】
0006029848.tif 000070
は、第kユーザ端末にとっての干渉信号を抑圧するための行列である。その理由は次の通りである。この第１の行列の基礎となる行列
【数６９】
0006029848.tif 000071
は、式（１０）のk1≠kから理解されるように、第kユーザ端末を除くすべてのユーザ端末（他ユーザ端末）に対応する。そして、第１の行列
【数７０】
0006029848.tif 000072
は、基礎となる行列の正規化固有ベクトルの内、固有値が小さい正規化固有ベクトル（第１の固有ベクトル）を列ベクトルとして有するため、信号を弱めるように働く。したがって、第１の行列
【数７１】
0006029848.tif 000073
は、他ユーザ端末への送信信号に起因する同一チャネル干渉を大幅に抑圧することができる。
【００９８】
図１１に示すプリコーディング行列変換部６０が使用する式（９）において、第２の行列（所望信号増強行列）
【数７２】
0006029848.tif 000074
は、第kユーザ端末にとっての所望信号を強める成分である。その理由は次の通りである。この第２の行列の基礎となる行列
【数７３】
0006029848.tif 000075
は、第kユーザ端末（所望ユーザ端末）に対応する。そして、第２の行列
【数７４】
0006029848.tif 000076
は、基礎となる行列の正規化固有ベクトルの内、固有値が大きい正規化固有ベクトル（第２の固有ベクトル）を列ベクトルとして有するため、信号を強めるように働く。したがって、第２の行列
【数７５】
0006029848.tif 000077
は、第kユーザ端末の受信電力を高めることができる。
【００９９】
以上の通り、図１１に示すプリコーディング行列変換部６０によれば、同一チャネル干渉を大幅に抑圧することができるとともに、第kユーザ端末の受信電力を高めることができる。
【０１００】
また、所望ユーザ端末の受信アンテナの数Nrkと等しい数の第２の固有ベクトルを第２の固有値分解部７２が選択することにより、乗算正規化部７４で生成されるプリコーディング行列は、ユーザ端末あたり複数の送信信号を送信するのに適合させられる。式（９）で求められる各ユーザ端末のためのプリコーディング行列の列数はNrk個（第kユーザ端末の受信アンテナの数）であるので、ユーザ端末あたり複数の送信信号を送信することができる。図３に示す背景技術のプリコーディング行列生成部１４Ａが使用する式（２）は、各ユーザ端末の受信アンテナの数Nrkが１であるという想定の下で使用されるため、あるユーザ端末の受信アンテナの数Nrkが２以上の場合に、そのユーザ端末に向けて複数の送信信号を送ることができない。図１０に示すプリコーディング行列変換部６０はこの問題を解決する。
【０１０１】
以上、本発明を実施するための最良の形態についてマルチユーザMIMOのシングルキャリア伝送を例に説明したが、OFDM(Orthogonal Frequency Division Multiplexing)伝送の場合でも本発明を実施しうる。OFDMの場合、各サブキャリアは狭い帯域幅を有するので、サブキャリア内の実質的なフェージングはフラットフェージングとなる。したがって、各サブキャリアについて上記の操作を行えばよい。
【０１０２】
図１２は、本発明の実施の形態に係る無線通信システムを示す。無線通信システムは、複数の無線基地局１を備え、各無線基地局１はその無線基地局のセル２にあるユーザ端末（移動局）５と通信する。各無線基地局１は、複数の送信アンテナ（アダプティブ・アレー・アンテナ）１０を備え、各ユーザ端末５は1以上の受信アンテナ５Ａを備える。したがって、各無線基地局１はMIMO送信が可能である。また、各無線基地局１は、複数の受信アンテナ１１を備える。
【０１０３】
ユーザ端末５は例えば携帯電話（UMTS（Universal Mobile Telecommunications System）LTE（Long Term Evolution）でのUE（User Equipment）である。各無線基地局１は、UMTS LTEでのeNB（evoluted Node B）であってもよい。あるいは、各無線基地局１は、無線LAN（Local Area Network）またはWiMAX（Worldwide Interoperability for Microwave Access）でのアクセスポイントであってもよい。
【０１０４】
以上、本発明をその好適な実施の形態を参照しながら詳細に図示して説明したが、請求の範囲に記載された本発明の区域内で、形式および細部に関する様々な変更が可能であることは当業者であれば理解できることだろう。かかる変更、代替、修正も本発明の範囲に含まれるものであると出願人は意図している。
【符号の説明】
【０１０５】
１  無線基地局、２  セル、５  ユーザ端末、５Ａ  受信アンテナ、１０  送信アンテナ、１１  受信アンテナ、１２  乗算部（送信信号生成部）、１６  直交変調器、１８  発振器、３０  DOA推定部、１４０  プリコーディング行列生成部、４０  下りリンク自己相関行列生成部、６０  プリコーディング行列変換部、４２  上りリンク自己相関行列推定部、４４  下りリンク自己相関行列変換部、４２  自己相関行列推定部、４８  到来角分布推定部、５０  下りリンク自己相関行列演算部、５４  到来方向（direction-of-arrival、DOA）推定部、５６  下りリンク自己相関行列演算部、４２  自己相関行列推定部、６２  固有値分解部、６４  固有ベクトル選択位相回転部、６６  逆行列演算部、６８  乗算正規化部（乗算部）、７０  第１の固有値分解部、７２  第２の固有値分解部、７４  乗算正規化部（乗算部）
【図１】
0006029848.tif 000078
【図２】
0006029848.tif 000079
【図３】
0006029848.tif 000080
【図４】
0006029848.tif 000081
【図５】
0006029848.tif 000082
【図６】
0006029848.tif 000083
【図７】
0006029848.tif 000084
【図８】
0006029848.tif 000085
【図９】
0006029848.tif 000086
【図１０】
0006029848.tif 000087
【図１１】
0006029848.tif 000088
【図１２】
0006029848.tif 000089